(57)【要約】【課題】ネットワークのスケーラビリティを向上させる。【解決手段】現用回線及び予備回線を介した伝送フレームの伝送方法において、前記現用回線での障害を検出し、前記検出の結果に応じて、前記伝送フレームが有する第１の宛先アドレスを前記第１の宛先アドレスとは異なる第２の宛先アドレスに変更し、前記変更後の伝送フレームを前記予備回線へ伝送する。【選択図】図６
2010258558.tif 000002
【特許請求の範囲】
【請求項１】
現用回線及び予備回線を介して伝送フレームを伝送する伝送装置において、
前記現用回線での障害を検出する検出部と、
前記検出部により障害が検出されると、前記伝送フレームが有する第１の宛先アドレスを前記第１の宛先アドレスとは異なる第２の宛先アドレスに変更して、前記伝送フレームを前記予備回線へ伝送する制御を行なう制御部と、をそなえた、
ことを特徴とする、伝送装置。
【請求項２】
前記第１の宛先アドレス及び前記第２の宛先アドレスが、前記現用回線の終端に位置する伝送装置のＭＡＣアドレスである、
ことを特徴とする、請求項１記載の伝送装置。
【請求項３】
前記第１の宛先アドレスが、前記現用回線の終端に位置する伝送装置のＭＡＣアドレスであって、
前記第２の宛先アドレスが、前記第１の宛先アドレスの所定のビットフラグを反転させたものである、
ことを特徴とする、請求項１記載の伝送装置。
【請求項４】
前記第２のアドレスが、前記予備回線を終端する伝送装置のＭＡＣアドレスである、
ことを特徴とする、請求項１記載の伝送装置。
【請求項５】
前記制御部が、
前記変更後の伝送フレームが有する前記第２の宛先アドレスを前記第１の宛先アドレスに戻して、前記伝送フレームを前記現用回線へ伝送する制御を行なう、
ことを特徴とする、請求項１〜４のいずれか１項に記載の伝送装置。
【請求項６】
前記制御部が、
前記伝送フレームが有する経路識別用の第１の経路識別子を前記第１の経路識別子とは異なる第２の経路識別子に変更する、
ことを特徴とする、請求項１〜５のいずれか１項に記載の伝送装置。
【請求項７】
前記制御部が、
前記検出部により障害が検出されないと、前記変更を行なわずに、前記伝送フレームが有する第１の宛先アドレスに基づいて、前記伝送フレームを前記現用回線へ伝送する制御を行なう、
ことを特徴とする、請求項１〜６のいずれか１項に記載の伝送装置。
【請求項８】
現用回線及び予備回線を介した伝送フレームの伝送方法において、
前記現用回線での障害を検出し、
前記検出の結果に応じて、前記伝送フレームが有する第１の宛先アドレスを前記第１の宛先アドレスとは異なる第２の宛先アドレスに変更し、
前記変更後の伝送フレームを前記予備回線へ伝送する、
ことを特徴とする、伝送方法。
【請求項９】
前記第１の宛先アドレス及び前記第２の宛先アドレスが、前記現用回線の終端に位置する伝送装置のＭＡＣアドレスである、
ことを特徴とする、請求項８記載の伝送方法。
【請求項１０】
現用回線及び予備回線を介して伝送フレームを伝送する伝送装置をそなえた伝送システムにおいて、
前記現用回線での障害を検出する検出部と、
前記検出部により障害が検出されると、前記伝送フレームが有する第１の宛先アドレスを前記第１の宛先アドレスとは異なる第２の宛先アドレスに変更して、前記伝送フレームを前記予備回線へ伝送する制御を行なう制御部と、をそなえた、
ことを特徴とする、伝送システム。
【発明の詳細な説明】
【技術分野】
【０００１】
本発明は、伝送装置、伝送方法及び伝送システムに関する。前記伝送システムには、例えば、現用回線（現用パス）及び予備回線（予備パス）をそなえた伝送システムが含まれる。
【背景技術】
【０００２】
広域イーサネット（登録商標）サービスを提供する技術として、例えば、ＩＥＥＥ（Institute of Electrical and Electronic Engineers）８０２．１ａｈ  ＰＢＢ（Provider Backbone Bridge）や、ＩＥＥＥ８０２．１Ｑａｙ  ＰＢＢ−ＴＥ（PBB-Traffic Engineering）がある。
ＰＢＢは、ユーザのイーサネット（登録商標）フレームをＭＡＣ−ｉｎ−ＭＡＣ方式でカプセル化して中継する方式であり、ＩＥＥＥ８０２．１ａｈで標準化されている。なお、ＭＡＣ−ｉｎ−ＭＡＣ方式は、ＭＡＣ（Media Access Control）フレームをＭＡＣフレームでカプセル化して伝送するイーサネット（登録商標）技術である。
【０００３】
・ＰＢＢ方式のネットワーク
ここで、図１にＰＢＢ方式のネットワーク構成の一例を示す。
この図１に示すように、ネットワーク１００は、例示的に、ＰＢＮ（Provider Bridged Network）２００とＰＢＢＮ（Provider Backbone Bridged Network）３００とを有する。ＰＢＮ２００は、ＩＥＥＥ８０２．１ａｄで標準化されているネットワークの１つである。また、ＰＢＢＮ３００は、ＰＢＢ方式のネットワークであり、ＰＢＮ２００を収容、接続するバックボーンネットワークである。
【０００４】
ＰＢＢＮ３００は、エッジ装置（エッジノード）であるＢＥＢ（Backbone Edge Bridge）４００と、中継装置（中継ノード）であるＢＣＢ（Backbone Core Bridge）５００とを有する。ＢＣＢ５００は、ＢＥＢ４００が受信したユーザフレームを他のＢＣＢ５００またはＢＥＢ４００へ中継する。
上記ＭＡＣ−ｉｎ−ＭＡＣ方式では、ＰＢＢＮ３００内において有効なアドレス情報（例えば、ＭＡＣアドレス）でユーザフレームをカプセル化して伝送する。これにより、ＰＢＢＮ３００内の各ノード４００，５００は、ＰＢＢＮ３００のエッジ（出入り口）に位置するＢＥＢ４００のＭＡＣアドレスを学習することにより、ユーザフレームの伝送を行なうことが可能となる。
【０００５】
このため、ＢＥＢ４００は、例えば、他のネットワーク（ＰＢＮ２００，ＰＢＢＮ３００など）から受信したユーザフレームをＭＡＣフレームでカプセル化して、ＰＢＢＮ３００の網内へカプセル化されたユーザフレーム（以下ＰＢＢフレームという）を転送する機能を有する。また、ＢＥＢ４００は、例えば、ＢＣＢ５００から受信したＰＢＢフレームをデカプセル化して、他のネットワーク（ＰＢＮ２００，ＰＢＢＮ３００など）へデカプセル化により抽出されたユーザフレームを転送する機能を有する。
【０００６】
さらに、ＢＣＢ５００は、例えば、ＢＥＢ４００または他のＢＣＢ５００から受信したＰＢＢフレームを、当該ＰＢＢフレームに設定されたバックボーン宛先ＭＡＣアドレス（Backbone-Destination MAC Address、Ｂ−ＤＡ）及び経路識別用のBackbone VLAN ID（Ｂ−ＶＩＤ）に基づき、適切な方路へ転送（ブリッジング）する。
・ＰＢＢフレームフォーマット
ここで、図２にＰＢＢフレームフォーマットの一例を示す。
【０００７】
この図２に示すように、ＰＢＢでは、４バイトのＳ−ＴＡＧ，４バイトのＣ−ＴＡＧ，２バイトのＥｔｈｅｒＴｙｐｅ，可変長（または固定長）のＰａｙｌｏａｄ及び２バイトのＦＣＳを有するフレーム（ユーザデータ）が、１８バイトのＩ−ＴＡＧ（Backbone Service Instance TAG），４バイトのＢ−ＴＡＧ（Backbone VLAN TAG），６バイトのＢ−ＤＡ（B-MAC  DA）及び６バイトのバックボーン送信元ＭＡＣアドレス（Backbone-Source MAC Address、Ｂ−ＳＡまたはB-MAC  SA）でカプセル化される。なお、Ｓ−ＴＡＧは、サービスＶＬＡＮタグ（Service VLAN TAG）を示し、ＥｔｈｅｒＴｙｐｅは、イーサネット（登録商標）の種別を示す。また、ＦＣＳは、フレーム誤り検出（Frame Check Sequence）用の情報ビットである。
【０００８】
Ｂ−ＳＡは、ＰＢＢフレームの送信元アドレス情報であり、例えば、ＰＢＢＮ３００への入口に位置するＢＥＢ（Ingress BEB、ＩＢＥＢ）４００のＭＡＣアドレスを用いることができる。また、Ｂ−ＤＡは、ＰＢＢフレームの送信先アドレス情報であり、例えば、ＰＢＢＮ３００の出口に位置するＢＥＢ（Egress BEB、ＥＢＥＢ）４００のＭＡＣアドレスを用いることができる。
【０００９】
Ｂ−ＴＡＧは、ＩＥＥＥ８０２．１ａｄで規定されるＳ−ＴＡＧと同一のフォーマットを有し、２バイトのＢ−ＴＡＧ ＴＰＩＤ（Tag Protocol Identifier）と２バイトのＢ−ＴＡＧ ＴＣＩ（Tag Control Information）とで構成される。Ｂ−ＴＡＧ ＴＣＩには１２ビットのＢ−ＶＩＤが含まれる。
一方、Ｉ−ＴＡＧは、タグの種類を識別する２バイト（１６ビット）のＩ−ＴＡＧ ＴＰＩＤ，１６バイト（１２８ビット）のＩ−ＴＡＧ ＴＣＩとで構成される。Ｉ−ＴＡＧ ＴＰＩＤは、タグ・プロトコル識別子である。Ｉ−ＴＡＧ ＴＣＩは、３ビットのＩ−ＰＣＰ（Priority Code Point、優先度コード・ポイント），１ビットのＩ−ＤＥＩ（Drop Eligible Indication、優先廃棄識別），１ビットのＵＣＡ（User Customer Address、ユーザカスタマーアドレス），３ビットのＲｅｓ（Reserved、予約領域），２４ビットのＩ−ＳＩＤ（Service Instance Identifier、サービス・インスタンスＩＤ）及び前述の各４８ビットのユーザＭＡＣアドレス（C-MAC DA，C-MAC SA）により構成される。なお、上記のＩ−ＴＡＧ ＴＰＩＤ及びＢ−ＴＡＧ ＴＰＩＤには、例えば、ＩＥＥＥで規定されているデフォルト値として、「0x88e7」及び「0x88a8」がそれぞれ設定される。
【００１０】
ＩＥＥＥ８０２．１ａｄでは、１２ビットのＶＬＡＮ−ＩＤ（Ｂ−ＶＩＤ）によりユーザを識別していたが、ＩＥＥＥ８０２．１ａｈ  ＰＢＢでは、２４ビットのＩ−ＳＩＤを使用することにより、最大で２２４（約１６００万）のユーザを識別することが可能となっている。
・ＥＳＰ〔Ethernet（登録商標） Switched Path〕の設定例
また、ＰＢＢの拡張として、ＰＢＢ−ＴＥが、ＩＥＥＥ８０２．１Ｑａｙで標準化されている。ここで、ＴＥとは、トラフィックの経路制御技術を表し、ネットワークリソースを最適化し、トラフィックの転送効率を向上させることを目的とする技術である。
【００１１】
上記ＰＢＢ−ＴＥの特徴として、例えば、ＰＢＢフレームフォーマットを用いたユーザフレーム中継、ＭＡＣアドレスの学習不要、宛先不明フレームの破棄、片方向パス（ＥＳＰ）の形成などがある。
ＰＢＢ−ＴＥ方式の網内の伝送装置（ＢＥＢ４００，ＢＣＢ５００）は、例えば、ＰＢＢ方式と同様、ＰＢＢフレームに設定されたＢ−ＶＩＤ及びＢ−ＤＡに基づいて、当該ＰＢＢフレームの転送経路を決定する。例えば、ＢＥＢ４００及びＢＣＢ５００は、自局４００，５００が有するフィルタリングデータベース（Filtering DataBase、ＦＤＢ）に登録された静的な経路情報（例えば、ＥＳＰに関する情報）に基づいて、ＰＢＢフレームを転送することができる。なお、ＦＤＢに登録される経路情報は、予め登録された静的な情報であり、動的には学習されない場合がある。
【００１２】
ＥＳＰは、例えば、Ｂ−ＶＩＤ，Ｂ−ＤＡ及びＢ−ＳＡに基づいて識別される。これにより、１組のＢＥＢ４００間（即ち、Ｂ−ＤＡ及びＢ−ＳＡの組み合わせが同一）においても、Ｂ−ＶＩＤを変更することにより、複数のＥＳＰを区別して確立することが可能となる。
ここで、図３にＥＳＰの設定の一例を示す。
【００１３】
この図３に示すネットワーク１００は、ＢＥＢ４００−１〜４００−３と、ＢＣＢ５００−１〜５００−４とをそなえ、各ＥＳＰは、例示的に、ＢＥＢ４００−１（Ｂ−ＭＡＣ  ＳＡ＝Ｘ）を始点としている。
図３中に示す４本のＥＳＰ（各破線矢印を参照）は、同一のＢＥＢ４００−１を始点としているので、各ＥＳＰに設定されるＢ−ＳＡは全てＢＥＢ４００−１のＭＡＣアドレス「Ｘ」である。
【００１４】
また、ＢＥＢ４００−２（ＭＡＣアドレス：Ｙ）を終点とする２本のＥＳＰに設定されるＢ−ＤＡはいずれも「Ｙ」であり、ＢＥＢ４００−３（ＭＡＣアドレス：Ｚ）を終点とする２本のＥＳＰに設定されるＢ−ＤＡはいずれも「Ｚ」である。
さらに、ＢＥＢ４００−１，ＢＣＢ５００−１，５００−２，ＢＥＢ４００−２を経由するＥＳＰにはＢ−ＶＩＤ＝７が設定され、ＢＥＢ４００−１，ＢＣＢ５００−１，５０−４，ＢＥＢ４００−２を経由するＥＳＰにはＢ−ＶＩＤ＝８が設定されている。
【００１５】
また、ＢＥＢ４００−１，ＢＣＢ５００−１，５００−４，ＢＥＢ４００−３を経由するＥＳＰにはＢ−ＶＩＤ＝７が設定され、ＢＥＢ４００−１，ＢＣＢ５００−３，５００−４，ＢＥＢ４００−３を経由するＥＳＰにはＢ−ＶＩＤ＝８が設定されている。
このように、各ＥＳＰのＢ−ＳＡ及びＢ−ＤＡが同一であっても、互いに異なるＢ−ＶＩＤが設定されることにより、各ＥＳＰは、ネットワーク１００上で別個のＥＳＰとして認識され得る。
【００１６】
・ＰＢＢ−ＴＥのプロテクション方法
ところで、ＥＳＰを構成する各伝送装置４００，５００間の経路において障害が検知されると、例えば、フレームの転送経路を現用パス（Working Path）から予備パス（Protection Path）へ切り替える制御（プロテクション）が行なわれる。
ＰＢＢ−ＴＥのプロテクション方法としては、例えば、ＩＥＥＥ８０２．１Ｑａｙにおいて、パスプロテクション方式が検討されている。
【００１７】
図４にパスプロテクション方式の一例を示す。
この図４に示すＰＢＢ−ＴＥ網６００は、例示的に、ＢＥＢ４００−１（Ｎ１），４００−２（Ｎ５），４００−３（Ｎ８）と、ＢＣＢ５００−１（Ｎ２），５００−２（Ｎ３），５００−３（Ｎ４），５００−４（Ｎ６），５００−５（Ｎ７）とをそなえる。
また、このＰＢＢ−ＴＥ網６００では、例えば、現用パスとして、Ｎ１，Ｎ２，Ｎ３，Ｎ４，Ｎ５を経由するＥＳＰが設定されるとともに、予備パスとして、Ｎ１，Ｎ２，Ｎ６，Ｎ７，Ｎ４，Ｎ５を経由するＥＳＰが設定される。
【００１８】
ＰＢＢ−ＴＥ網６００において、現用パスを用いてフレームを転送する場合、Ｎ１は、他のネットワーク（ＰＢＮ，ＰＢＢＮなど）から受信したユーザフレームを図２に示すＰＢＢフレームフォーマットでカプセル化し、次のノード（Ｎ２）へ転送する。Ｎ１からＰＢＢフレームを受信したＮ２は、当該ＰＢＢフレームに設定されたＢ−ＶＩＤ及びＢ−ＤＡと自局（Ｎ２）が保持するＦＤＢとに基づき、ＰＢＢフレームを現用パス上の次のノード（Ｎ３）へ転送する。Ｎ３及びＮ４においても、Ｎ２と同様の転送処理が行なわれ、ＰＢＢフレームは現用パス上の次のノード（Ｎ４，Ｎ５）へ転送される。
【００１９】
そして、Ｎ４からＰＢＢフレームを受信したＮ５は、当該ＰＢＢフレームに設定されたＢ−ＤＡと自局（Ｎ５）のＭＡＣアドレスとが一致することを検出し、当該ＰＢＢフレームをデカプセル化してユーザフレームを抽出する。Ｎ５により抽出されたユーザフレームは、例えば、他のネットワーク（ＰＢＮ，ＰＢＢＮなど）へ送出される。
一方、例えば、Ｎ２とＮ３との間の経路で障害（回線断など）が発生した場合、Ｎ２は、障害を検出し、Ｎ１にその旨を通知する。Ｎ２から障害を通知されたＮ１は、ＰＢＢフレームのＢ−ＶＩＤを変更する（書き換える）ことにより、フレーム伝送経路を現用パス（現用ＥＳＰ）から予備パス（予備ＥＳＰ）へ切り替える制御を行なう。
【００２０】
現用パス及び予備パスのＢ−ＳＡ及びＢ−ＤＡには同じ値（例えば、Ｎ１のＭＡＣアドレス及びＮ５のＭＡＣアドレス）が設定されているので、現用パスと予備パスとを別個のパスとして識別（区別）するために、Ｂ−ＶＩＤの値に異なる値が設定されるのである。
Ｎ１によりＰＢＢフレームのＢ−ＶＩＤの値が変更されると、Ｎ１は、変更したＢ−ＶＩＤの値とＦＤＢとに基づき、ＰＢＢフレームを予備パス上の次のノード（Ｎ６）へ転送する。なお、ＦＤＢには、例えば、変更されたＢ−ＶＩＤに対応するパスとして予備パスが設定されている。Ｎ６，Ｎ７及びＮ４においても、Ｎ１と同様の転送処理が行なわれ、ＰＢＢフレームは予備パス上の次のノード（Ｎ７，Ｎ４，Ｎ５）へ転送される。
【００２１】
そして、Ｎ４からＰＢＢフレームを受信したＮ５は、当該ＰＢＢフレームに設定されたＢ−ＤＡと自局（Ｎ５）のＭＡＣアドレスとが一致することを検出し、当該ＰＢＢフレームをデカプセル化してユーザフレームを抽出する。Ｎ５により抽出されたユーザフレームは、例えば、他のネットワーク（ＰＢＮ，ＰＢＢＮなど）へ送出される。
以上のように、パスプロテクション方式では、伝送装置間のある経路にて障害が発生した場合、障害を通知されたＩＢＥＢ４００−１（Ｎ１）が、ＰＢＢフレームのＢ−ＶＩＤの値を変更して、ＰＢＢフレームの伝送経路を切り替えることができる。これにより、ＰＢＢフレームは、障害が発生した区間を迂回し、伝送されることが可能となる。
【００２２】
一方、ＩＴＵ−Ｔ  Ｇ．８０３１においては、ＰＢＢ−ＴＥのプロテクション方法として、セグメントプロテクション方式が検討されている。
図５にセグメントプロテクション方式の一例を示す。
この図５に示すように、例えば、Ｎ２とＮ３との間の経路で障害が発生した場合、セグメントプロテクション方式では、障害を検知した装置（例えば、Ｎ２）が、ＰＢＢフレームのＢ−ＶＩＤを変更することにより、その障害が発生した経路（障害セグメント）を迂回する予備のパス（図５では、Ｎ２，Ｎ６，Ｎ７，Ｎ３を経由するパス）へＰＢＢフレームを転送する。
【００２３】
また、障害が発生した経路の終端側のノード（例えば、Ｎ３）が、Ｎ２により変更されたＢ−ＶＩＤを元に戻すことにより、Ｎ３，Ｎ４，Ｎ５を経由するパス（現用パスの一部）へＰＢＢフレームを転送することもできる。
上述したパスプロテクション方式では、ＩＢＥＢ４００−１で経路切り替え制御を行なうため、障害発生の時点からＩＢＥＢ４００−１に障害が通知されるまでの間、通信断の状態が継続し、ＰＢＢフレームが正常に伝送されない場合がある。
【００２４】
これに対し、セグメントプロテクション方式では、上述したように、障害が発生した区間の一端のノード（図５では、Ｎ２）が経路切り替え制御を行なうので、通信断の状態の継続時間を短縮することが可能となる。
なお、パスの切り替えに関する技術として、下記特許文献１には、マルチキャスト分散環境内に常駐するネットワーク・ルーティング・デバイスにおけるパスを切り替える方法が記載されている。
【００２５】
また、下記特許文献２には、現用パスの経路上にあるノードを複数ノードで構成されるセグメントに分割し、セグメントの位置情報を現用パス設定要求メッセージにより通知することで、各セグメントの先頭ノードと末尾ノードを結ぶ予備パスをセグメント毎に設定する方法が記載されている。
さらに、下記特許文献３には、ネットワーク上に複数のノードがある環境で、ノードの障害が生じた場合に、他のノード（マスタノード）が障害ノード（スレーブノード）を代理する方法が記載されている。
【００２６】
また、下記特許文献４には、ノードがループ状に接続されたネットワークにおいて、リンクに障害が発生したときには、このループを用いてこの障害箇所を迂回するルートを速やかに形成する方法が記載されている。
【先行技術文献】
【特許文献】
【００２７】
【特許文献１】特開２００６−２２９９６７号公報
【特許文献２】特開２００５−２７７４４６号公報
【特許文献３】特開平１１−２２０４６６号公報
【特許文献４】特開２０００−２７８３５１号公報
【発明の概要】
【発明が解決しようとする課題】
【００２８】
上述したように、各プロテクション方式では、伝送装置が、ＰＢＢフレームのＢ−ＶＩＤを変更することにより、ＰＢＢフレームの転送経路を変更する。
しかしながら、Ｂ−ＶＩＤは、１２ビットしかないため、複数のパスを設定する場合、Ｂ−ＶＩＤのラベル空間が枯渇する場合がある。
その結果、パス設定の自由度が低下し、ネットワークのスケーラビリティ（拡張性）が低下する場合がある。
【００２９】
そこで、本発明は、ネットワークのスケーラビリティを向上させることを目的の１つとする。
【課題を解決するための手段】
【００３０】
（１）第１の案として、現用回線及び予備回線を介して伝送フレームを伝送する伝送装置において、前記現用回線での障害を検出する検出部と、前記検出部により障害が検出されると、前記伝送フレームが有する第１の宛先アドレスを前記第１の宛先アドレスとは異なる第２の宛先アドレスに変更して、前記伝送フレームを前記予備回線へ伝送する制御を行なう制御部と、をそなえた伝送装置を用いる。
【００３１】
（２）第２の案として、現用回線及び予備回線を介した伝送フレームの伝送方法において、前記現用回線での障害を検出し、前記検出の結果に応じて、前記伝送フレームが有する第１の宛先アドレスを前記第１の宛先アドレスとは異なる第２の宛先アドレスに変更し、前記変更後の伝送フレームを前記予備回線へ伝送する、伝送方法を用いる。
（３）第３の案として、現用回線及び予備回線を介して伝送フレームを伝送する伝送装置をそなえた伝送システムにおいて、前記現用回線での障害を検出する検出部と、前記検出部により障害が検出されると、前記伝送フレームが有する第１の宛先アドレスを前記第１の宛先アドレスとは異なる第２の宛先アドレスに変更して、前記伝送フレームを前記予備回線へ伝送する制御を行なう制御部と、をそなえた、伝送システムを用いる。
【発明の効果】
【００３２】
ネットワークのスケーラビリティを向上させることが可能となる。
【図面の簡単な説明】
【００３３】
【図１】ネットワークの構成の一例を示す図である。
【図２】ＰＢＢフレームフォーマットの一例を示す図である。
【図３】ＥＳＰの設定の一例を示す図である。
【図４】パスプロテクション方式の一例を示す図である。
【図５】セグメントプロテクション方式の一例を示す図である。
【図６】一実施形態に係るネットワークの一例を示す図である。
【図７】一実施形態に係る伝送装置の構成の一例を示す図である。
【図８】図６に示す伝送装置の動作の一例を示す図である。
【図９】図６に示す伝送装置の動作の一例を示す図である。
【図１０】図６に示す伝送装置（Ｎ２）が保持するテーブルの一例を示す図である。
【図１１】図６に示す伝送装置（Ｎ２）が保持するテーブルの一例を示す図である。
【図１２】図６に示す伝送装置（Ｎ３）が保持するテーブルの一例を示す図である。
【図１３】一実施形態に係るネットワークの一例を示す図である。
【図１４】図１３に示す伝送装置（Ｎ７）が保持するテーブルの一例を示す図である。
【図１５】図１３に示す伝送装置（Ｎ３）が保持するテーブルの一例を示す図である。
【図１６】一実施形態に係るネットワークの一例を示す図である。
【図１７】図１６に示す伝送装置（Ｎ７）が保持するテーブルの一例を示す図である。
【図１８】図１６に示す伝送装置（Ｎ３）が保持するテーブルの一例を示す図である。
【図１９】ＭＡＣアドレスの構造の一例を示す図である。
【図２０】第１変形例に係る伝送装置の動作の一例を示す図である。
【図２１】第１変形例に係る伝送装置の動作の一例を示す図である。
【図２２】第１変形例に係る伝送装置（Ｎ２）のテーブルの一例を示す図である。
【図２３】第１変形例に係る伝送装置（Ｎ３）のテーブルの一例を示す図である。
【図２４】第１変形例に係る伝送装置（Ｎ２）のテーブルの一例を示す図である。
【図２５】第１変形例に係る伝送装置（Ｎ６）のテーブルの一例を示す図である。
【図２６】第２変形例に係るネットワークの一例を示す図である。
【発明を実施するための形態】
【００３４】
以下、図面を参照して実施の形態を説明する。ただし、以下に示す実施形態は、あくまでも例示に過ぎず、以下に示す実施形態で明示しない種々の変形や技術の適用を排除する意図はない。即ち、本実施形態は、その趣旨を逸脱しない範囲で種々変形（各実施形態を組み合わせる等）して実施することができる。
〔１〕一実施形態
図６は、一実施形態に係るネットワークの一例を示す図である。
【００３５】
この図６に示すネットワーク（ＰＢＢ−ＴＥ網）１０は、例示的に、ＢＥＢ９−１（Ｎ１），ＢＥＢ９−２（Ｎ５），ＢＥＢ９−３（Ｎ８）と、ＢＣＢ１−１（Ｎ２），ＢＣＢ１−２（Ｎ３），ＢＣＢ１−３（Ｎ４），ＢＣＢ１−４（Ｎ６），ＢＣＢ１−５（Ｎ７）とをそなえる。以下、ＢＥＢ９−１〜９−３を区別しない場合は単にＢＥＢ９と称し、ＢＣＢ１−１〜１−５を区別しない場合は単にＢＣＢ１と称することがある。また、ＢＥＢ９及びＢＣＢ１の数、並びに、ネットワーク１０の接続形態は、図６に示す例に限定されない。
【００３６】
このＰＢＢ−ＴＥ網１０においては、現用パス（現用ＥＳＰ）として、例えば、Ｎ１，Ｎ２，Ｎ３，Ｎ４，Ｎ５を経由するパスが設定され、予備パス（予備ＥＳＰ）として、例えば、Ｎ２，Ｎ６，Ｎ７，Ｎ３を経由するパスが設定されている。
さらに、ＥＢＥＢ９−２（Ｎ５）には、複数のＭＡＣアドレス（宛先アドレス）が設定される。図６に示す例では、Ｎ５は、メインアドレス（第１の宛先アドレス）「Ｙ１」及びメインアドレスとは異なるサブアドレス（第２の宛先アドレス）「Ｙ２」を有する。なお、ＭＡＣアドレスの数はこれに限定されず、少なくとも現用パスの終端に位置するＥＢＥＢ９−２（Ｎ５）が複数の宛先アドレス（ＭＡＣアドレス）を有していればよい。例えば、Ｎ１及びＮ５（またはＮ８）が３以上のＭＡＣアドレスを有していてもよいし、Ｎ５（またはＮ８）のみが複数のＭＡＣアドレスを有していてもよい。図６に示すネットワーク１０では、例えば、ＩＢＥＢ９−１（Ｎ１）にも複数のＭＡＣアドレスが設定されており、Ｎ１は、メインアドレス「Ｘ１」及びサブアドレス「Ｘ２」を有する。
【００３７】
（１．１）伝送経路の切り替え制御
上記ＰＢＢ−ＴＥ網１０において、現用パスを介してＰＢＢフレームを転送する場合、Ｎ１は、まず、他のネットワーク（ＰＢＮ，ＰＢＢＮなど）から受信したユーザフレームを、図２に示すＰＢＢフレームフォーマットでカプセル化する。例えば、Ｎ１は、ユーザ識別子としてＩ−ＳＩＤ、Ｂ−ＳＡに自局のＭＡＣアドレス「Ｘ１」、Ｂ−ＤＡに現用パスのＥＢＥＢ（Ｎ５）のＭＡＣアドレス「Ｙ１」、Ｂ−ＶＩＤ（経路識別子）に「１０」をユーザフレームに付与してカプセル化する。そして、Ｎ１は、カプセル化したＰＢＢフレームに設定されたＢ−ＶＩＤ「１０」及びＢ−ＤＡ「Ｙ１」と自局（Ｎ１）が保持するＦＤＢとに基づき、当該ＰＢＢフレームを現用パス（図６のWorking Path）上の次の中継ノード（Ｎ２）へ転送する。
【００３８】
Ｎ１からＰＢＢフレームを受信したＮ２は、当該ＰＢＢフレームに設定されたＢ−ＶＩＤ「１０」及びＢ−ＤＡ「Ｙ１」に対応する経路をＦＤＢに基づいて選択し、当該経路（現用パス）上の次の中継ノード（Ｎ３）へＰＢＢフレームを転送する。Ｎ３及びＮ４においても、Ｎ２と同様の転送処理が行なわれ、ＰＢＢフレームは次の中継ノード（Ｎ４及びＮ５）へ転送される。
【００３９】
Ｎ４からＰＢＢフレームを受信したＮ５は、当該ＰＢＢフレームのＢ−ＤＡに自局（Ｎ５）のＭＡＣアドレス「Ｙ１」が設定されていることを検出し、当該ＰＢＢフレームの終端処理を行なう。このとき、Ｎ５は、ＰＢＢフレームからＢ−ＴＡＧ，Ｂ−ＤＡ，Ｂ−ＳＡ及びＩ−ＴＡＧを除去することにより、当該ＰＢＢフレームをデカプセル化してユーザフレームを抽出（生成）する。そして、Ｎ５は、前記抽出したユーザフレームを、他のネットワーク（ＰＢＮ，ＰＢＢＮなど）へ転送する。
【００４０】
以上のように、本例においても、障害の発生がない場合、現用パスを介してＰＢＢフレームの中継処理を行なうことができる。
一方、例えば、Ｎ２とＮ３との間で障害（回線断など）が発生した場合、Ｎ２は、その障害を検出する。なお、Ｎ２は、検出した障害に応じて、警報（アラーム）処理を行なうようにしてもよい。
【００４１】
そして、障害を検出したＮ２は、例えば、Ｎ１から受信したＰＢＢフレームに設定されたＢ−ＶＩＤ「１０」（第１の経路識別子）を「２００」（第２の経路識別子）に変更するとともに、Ｂ−ＤＡ「Ｙ１」を「Ｙ２」に変更する。
そして、Ｎ２は、ＦＤＢに基づき、ＰＢＢフレームのＢ−ＶＩＤ「２００」及びＢ−ＤＡ「Ｙ２」に対応する経路（図６のProtection Path）を選択し、当該経路上の次の中継ノード（Ｎ６）へＰＢＢフレームを転送する。
【００４２】
このように、本例では、各ノードが、ＰＢＢフレームのＢ−ＤＡの値に基づいて、当該ＰＢＢフレームの転送先が現用パスか予備パスかを識別することができる。
また、本例では、障害を検出したノード（Ｎ２）が、ＰＢＢフレームのＢ−ＶＩＤ及びＢ−ＤＡを変更することにより、現用パスから予備パスへＰＢＢフレームの伝送経路を切り替える制御を行なう。これにより、パス設定の自由度が増し、ネットワーク１０のスケーラビリティを向上させることができる。なお、Ｂ−ＶＩＤ及びＢ−ＤＡを変更する代わりに、４８ビットのＢ−ＤＡのみを変更するようにしても同様の効果が得られる。
【００４３】
Ｎ２からＰＢＢフレームを受信したＮ６は、当該ＰＢＢフレームに設定されたＢ−ＶＩＤ「２００」及びＢ−ＶＩＤ「Ｙ２」に応じた経路をＦＤＢに基づいて選択し、当該経路上の次の中継ノード（Ｎ７）へＰＢＢフレームを転送する。また、Ｎ７においても、Ｎ６と同様の転送処理が行なわれ、ＰＢＢフレームは予備パス上の次の中継ノード（Ｎ３）へ転送される。
【００４４】
ここで、Ｎ７からＰＢＢフレームを受信したＮ３は、当該ＰＢＢフレームのＢ−ＶＩＤ「２００」を元のＢ−ＶＩＤ「１０」に変更するとともに、Ｂ−ＤＡ「Ｙ２」を元のＢ−ＤＡ「Ｙ１」に変更するようにしてもよい。これにより、Ｎ３は、ＰＢＢフレームに設定されたＢ−ＶＩＤ「１０」及びＢ−ＤＡ「Ｙ１」に応じた経路（現用パス）をＦＤＢに基づいて選択し、当該経路上の次の中継ノード（Ｎ４）へＰＢＢフレームを転送することができる。
【００４５】
Ｎ３からＰＢＢフレームを受信したＮ４は、当該ＰＢＢフレームに設定されたＢ−ＶＩＤ「１０」及びＢ−ＤＡ「Ｙ１」に応じた経路をＦＤＢに基づいて選択し、当該経路上の次のノード（Ｎ５）へＰＢＢフレームを転送する。
Ｎ４からＰＢＢフレームを受信したＮ５は、当該ＰＢＢフレームのＢ−ＤＡに自局（Ｎ５）のＭＡＣアドレス「Ｙ１」が設定されていることを検出し、当該ＰＢＢフレームの終端処理を行なう。このとき、Ｎ５は、ＰＢＢフレームからＢ−ＴＡＧ，Ｂ−ＤＡ，Ｂ−ＳＡ及びＩ−ＴＡＧを除去することにより、当該ＰＢＢフレームをデカプセル化してユーザフレームを抽出（生成）する。そして、Ｎ５は、前記抽出したユーザフレームを、他のネットワーク（ＰＢＮ，ＰＢＢＮなど）へ転送する。
【００４６】
以上のように、本例では、少なくともＥＢＥＢ９−２に複数の宛先アドレス（例えば、ＭＡＣアドレス）が設定され、障害を検出したノード（例えば、Ｎ２）は、ＰＢＢフレームのＢ−ＶＩＤ及びＢ−ＤＡを変更することにより、ＰＢＢフレームの転送経路を切り替える。
これにより、１２ビットのＢ−ＶＩＤに加えて、６バイト（４８ビット）のＢ−ＤＡを用いてパスを設定することができるので、パスの数を大幅に増加させることが可能となる。結果、パス設定の自由度が増し、ネットワークのスケーラビリティを向上させることが可能となる。
【００４７】
（１．２）ノードの構成例
次に、一実施形態に係る伝送装置（ノード）の構成の一例について図７を用いて説明する。
この図７に示すノード１（９）は、現用パス及び予備パスを介してＰＢＢフレームを伝送する伝送装置であって、例示的に、フレーム受信部２と、ブリッジング部３と、フレーム送信部４と、ＦＤＢ５と、警報／障害検知部６と、Ｂ−ＶＩＤ変換部（ＶＬＡＮ  ＳＷＡＰ）７と、Ｂ−ＤＡ変換部（ＭＡＣ  ＤＡ  ＳＷＡＰ）８とをそなえる。
【００４８】
フレーム受信部２は、ネットワークまたは他のノードから送信されたユーザフレームまたはＰＢＢフレームを受信する。例えば、ノード１（９）がＩＢＥＢ９である場合、フレーム受信部２は、他のネットワークからユーザフレームを受信し、当該ユーザフレームをカプセル化してＰＢＢフレームを生成する。また、ノード１（９）がＢＣＢ１である場合、フレーム受信部２は、他のノード１（９）から受信したＰＢＢフレームを受信する。さらに、ノード１（９）がＥＢＥＢ９である場合、フレーム受信部２は、他のノード１からＰＢＢフレームを受信し、受信したＰＢＢフレームをデカプセル化してユーザフレームを抽出する。フレーム受信部２で受信されたフレームは、ブリッジング部３へ送出される。なお、以下では、ノード１（９）がＢＣＢ１である例について説明するが、これに限定されるものではなく、ノード１（９）がＢＥＢ９であることを除外する意図はない。
【００４９】
ブリッジング部３は、フレーム受信部２から入力されたＰＢＢフレームを、ＦＤＢ５に格納されるテーブルの内容に基づいて、フレーム送信部４またはＢ−ＶＩＤ変換部（ＶＬＡＮ  ＳＷＡＰ）７へ送出する。例えば、ブリッジング部３は、警報／障害検知部６により障害が検出されると、ＰＢＢフレームをＢ−ＶＩＤ変換部７へ送出し、警報／障害検知部６により障害が検出されないと、ＰＢＢフレームをフレーム送信部４へ送出する。
【００５０】
即ち、ブリッジング部３は、警報／障害検知部６により障害が検出されないと、Ｂ−ＶＩＤ及びＢ−ＤＡ（またはＢ−ＤＡ）の変更を行なわずに、ＰＢＢフレームが有するＢ−ＤＡ（例えば、ＥＢＥＢ９−２のメインアドレス）に基づいて、ＰＢＢフレームを現用パスへ伝送する制御を行なうことができる。
ＦＤＢ５は、少なくとも、ＰＢＢフレームに設定されたＢ−ＶＩＤ及びＢ−ＤＡの値と、当該ＰＢＢフレームの出力先（出力ポート）とを対応付けたエントリを有するテーブルを保持する。また、前記テーブルが有する各エントリは、例えば、当該エントリの有効（Available）または無効〔ＮＡ（Not Available）〕を示す有効フラグと、Ｂ−ＶＩＤ及びＢ−ＤＡの書き換え（変更）の有無及びその書き換え内容とを有する。例えば、ネットワーク１０が正常に動作している場合、現用パスに通じる出力ポートが設定されたエントリの有効フラグには「Available」が設定され、予備パスに通じる出力ポートが設定されたエントリには「ＮＡ」が設定される。一方、ネットワーク１０の障害時には、現用パスに通じる出力ポートが設定されたエントリには「ＮＡ」が設定され、予備パスに通じる出力ポートが設定されたエントリには「Available」が設定される。
【００５１】
警報／障害検知部（検出部）６は、ノード１に接続された経路（例えば、現用パス）で発生した障害を検知（検出）する。また、警報／障害検知部６は、検出した障害情報に基づいて、ＦＤＢ５のテーブル内容を変更（更新）することができる。例えば、警報／障害検知部６は、障害が発生した経路に通じる出力ポートに対応するエントリの有無を検索し、かかるエントリが検出された場合、当該エントリの有効フラグを「ＮＡ」に変更する。さらに、かかるエントリのＢ−ＤＡ及びＢ−ＶＩＤを検索キーとして、検索された他のエントリの有効フラグを「Available」に変更する。これにより、ブリッジング部３は、変更後のテーブル内容に基づいて、ＰＢＢフレームを、例えば、障害が発生した経路に通じる出力ポートから他の出力ポートへ迂回させることができる。
【００５２】
Ｂ−ＶＩＤ変換部７は、ブリッジング部３から入力されたＰＢＢフレームのＢ−ＶＩＤを、ＦＤＢ５のテーブル内容に基づいて、変更する。Ｂ−ＶＩＤ変換部７によりＢ−ＶＩＤを変更されたＰＢＢフレームは、Ｂ−ＤＡ変換部８へ送出される。
Ｂ−ＤＡ変換部８は、Ｂ−ＶＩＤ変換部７から入力されたＰＢＢフレームのＢ−ＤＡを、ＦＤＢ５のテーブル内容に基づいて、変更する。Ｂ−ＤＡ変換部８によりＢ−ＤＡを変更されたＰＢＢフレームは、フレーム送信部４へ送出される。
【００５３】
フレーム送信部４は、ブリッジング部３及びＢ−ＤＡ変換部８から入力されたＰＢＢフレームを、当該ＰＢＢフレームに設定されたＢ−ＶＩＤ及びＢ−ＤＡに応じた経路（現用パスまたは予備パス）へ転送する。
即ち、ブリッジング部３，Ｂ−ＶＩＤ変換部７，Ｂ−ＤＡ変換部８及びフレーム送信部４は、警報／障害検知部６により障害が検出されると、ＰＢＢフレームが有する第１の宛先アドレス（Ｙ１）を異なる第２の宛先アドレス（Ｙ２）に変更して、ＰＢＢフレームを予備パスへ伝送する制御を行なう制御部の一例として機能する。
【００５４】
（１．３）ノード１の動作例
次に、ノード１の動作の一例について、図８及び図９を用いて説明する。
図８に示すように、まず、ノード１のフレーム受信部２が、他のノード１（９）からＰＢＢフレームを受信する（ステップＳ１）。
次に、ブリッジング部３が、受信したＰＢＢフレームに設定されたＢ−ＶＩＤ及びＢ−ＤＡを検索キーとして、ＦＤＢ５が保持するテーブルを検索する（ステップＳ２）。このとき、有効フラグが「ＮＡ」であるエントリが検索結果に含まれないようにしてもよい。
【００５５】
そして、ブリッジング部３は、検索により得られたエントリのＢ−ＶＩＤ書換フィールドが有効であるかを判定し（ステップＳ３）、書き換えが有効であれば（ステップＳ３のＹｅｓルート）、当該ＰＢＢフレームをＢ−ＶＩＤ変換部７へ送出し、Ｂ−ＶＩＤ変換部７により、当該ＰＢＢフレームのＢ−ＶＩＤを書き換える（ステップＳ４）。一方、検索により得られたエントリのＢ−ＶＩＤ書換フィールドが無効であれば（ステップＳ３のＮｏルート）、Ｂ−ＶＩＤの書き換えは行なわれない。
【００５６】
次に、ブリッジング部３は、検索により得られたエントリのＢ−ＤＡ書換が有効であるかを判定し（ステップＳ５）、書き換えが有効であれば（ステップＳ５のＹｅｓルート）、当該ＰＢＢフレームをＢ−ＤＡ変換部８へ送出し、Ｂ−ＤＡ変換部８により、当該ＰＢＢフレームのＢ−ＤＡを書き換える（ステップＳ６）。そして、フレーム送信部４が、Ｂ−ＤＡを書き換えられたＰＢＢフレームを次のノードへ送信する（ステップＳ７）。
【００５７】
一方、検索により得られたエントリのＢ−ＤＡ書換が無効であれば（ステップＳ５のＮｏルート）、ノード１は、Ｂ−ＶＩＤの書き換えを行なわずに、フレーム送信部４により、ＰＢＢフレームを次のノードへ送信する（ステップＳ７）。なお、上記ステップＳ３及びＳ５の処理を１ステップで行なうようにしてもよく、この場合、上記ステップＳ４及びＳ６の処理を１ステップで行なってもよい。
【００５８】
また、図９に示すように、警報／障害検知部６が障害（または警報）を検知すると（ステップＳ１０）、警報／障害検知部６は、障害の発生したリンク（経路）に通じる出力ポートを検索キーとして、ＦＤＢ５のテーブルを検索する（ステップＳ１１）。このとき、有効フラグが「ＮＡ」であるエントリが検索結果に含まれないようにしてもよい。
そして、警報／障害検知部６は、前記検索により得られるエントリがあるかどうかを判定し（ステップＳ１２）、そのようなエントリが無いと判定されれば（ステップＳ１２のＮｏルート）、処理を終了する（ステップＳ１６）。
【００５９】
一方、前記検索により得られるエントリが有ると判定されれば（ステップＳ１２のＹｅｓルート）、警報／障害検知部６は、さらに、当該エントリのＢ−ＶＩＤ及びＢ−ＤＡを検索キーとして、ＦＤＢ５のテーブルから他のエントリを検索する（ステップＳ１３）。
次いで、警報／障害検知部６は、ステップＳ１３の検索の結果、有効フラグが「ＮＡ」であるエントリが検出されたかどうかを判定し（ステップＳ１４）、そのようなエントリが無いと判定されれば（ステップＳ１４のＮｏルート）、処理を終了する（ステップＳ１６）。
【００６０】
一方、ステップＳ１３の検索の結果、有効フラグが「ＮＡ」であるエントリが検出されれば（ステップＳ１４のＹｅｓルート）、警報／障害検知部６は、当該エントリの有効フラグを「ＮＡ」から「Available」に変更する（書き換える）（ステップＳ１５）。さらに、警報／障害検知部６は、ステップＳ１２にて検出したエントリの有効フラグを「Available」から「ＮＡ」に変更して（ステップＳ１５）、処理を終了する（ステップＳ１６）。
【００６１】
以上のように、ノード１は、ＦＤＢ５のテーブル内容に応じて、ＰＢＢフレームの転送先を制御することができる。また、障害を検知すると、前記テーブル内容を変更するとともに、ＰＢＢフレームのＢ−ＶＩＤ及びＢ−ＤＡを変更することにより、現用パスと予備パスとの間でフレーム伝送経路の切り替えを行なうことが可能となる。
さらに、ＰＢＢフレームのＢ−ＶＩＤ及びＢ−ＤＡを用いてパスを識別するので、Ｂ−ＶＩＤのみによりパスを識別する場合に比して、より多くのパスを識別することができる。その結果、パス設定の自由度が増し、ネットワークのスケーラビリティを向上させることが可能となる。
【００６２】
（１．４）ネットワーク（ＰＢＢ−ＴＥ網）１０の動作例
次に、上記のノード１を有するＰＢＢ−ＴＥ網１０での動作例について説明する。
図１０は、図６記載のＰＢＢ−ＴＥ網１０が正常に動作している場合のＮ２が保持するテーブルの一例である。
このテーブルは、例示的に、有効フラグ「Available」，Ｂ−ＤＡ＋Ｂ−ＶＩＤ「Ｂ−ＤＡ＝Ｙ１，Ｂ−ＶＩＤ＝１０」，書換「ＮＡ」，出力ポート「Port-2」が対応付けられた第１エントリと、有効フラグ「ＮＡ」，Ｂ−ＤＡ＋Ｂ−ＶＩＤ「Ｂ−ＤＡ＝Ｙ１，Ｂ−ＶＩＤ＝１０」，書換「Ｂ−ＤＡ＝Ｙ２，Ｂ−ＶＩＤ＝２００」，出力ポート「Port-3」が対応付けられた第２エントリとを有する。なお、Port-2は、図６中、Ｎ２からＮ３への経路（現用パス）に通じるＮ２の出力ポートであり、Port-3は、図６中、Ｎ２からＮ６への経路（予備パス）に通じるＮ２の出力ポートである。
【００６３】
Ｎ２が図１０に示すテーブルに基づいてＰＢＢフレームの転送処理を行なう場合、Ｎ２は、まず、フレーム受信部２により、Ｎ１からＰＢＢフレームを受信する。このＰＢＢフレームには、Ｎ１により、Ｂ−ＶＩＤ「１０」及びＢ−ＤＡ「Ｙ１」が設定されている。
次に、Ｎ２は、受信したＰＢＢフレームに設定されたＢ−ＶＩＤ「１０」及びＢ−ＤＡ「Ｙ１」を検索キーとして、図１０のテーブルから該当するエントリを検索する。
【００６４】
前記検索の結果、Ｎ２は、有効フラグが「Available」である第１エントリを検出し、この第１エントリの書換フィールドに基づいて、Ｂ−ＶＩＤ及びＢ−ＤＡの書き換えが有効であるかを判定する。図１０に示す例では、第１エントリのＢ−ＶＩＤ及びＢ−ＤＡ書き換えフィールドは「ＮＡ（無効）」であるので、Ｎ２は、Ｎ１から受信したＰＢＢフレームのＢ−ＶＩＤ及びＢ−ＤＡの書き換えを行なわない。
【００６５】
そして、Ｎ２は、第１エントリの出力ポートの値に基づき、次のノードＮ３へ通じる出力ポート「Port-2」へ当該ＰＢＢフレームを転送する。
ここで、例えば、警報／障害検知部６により、Ｎ２からＮ３へ通じる経路において障害（または警報）が検知された場合、Ｎ２は、障害の発生したリンク（経路）に通じる出力ポート「Port-2」を検索キーとして、図１０のテーブルから該当するエントリを検索する。
【００６６】
前記検索の結果、Ｎ２は、有効フラグが「Available」である第１エントリを検出する。そして、Ｎ２は、さらに、当該第１エントリのＢ−ＶＩＤ「１０」及びＢ−ＤＡ「Ｙ１」を検索キーとして、図１０のテーブルから有効フラグが「ＮＡ」である他のエントリを検索する。
この検索により、Ｎ２は、第２エントリを検出し、図１１に例示するように、当該第２エントリの有効フラグを「ＮＡ」から「Available」に変更するとともに、第１エントリの有効フラグを「Available」から「ＮＡ」に変更する。
【００６７】
その後、Ｎ２は、図１１のテーブル（変更後のテーブル）に基づいて、ＰＢＢフレームの転送処理を行なう。
例えば、Ｎ２が、Ｎ１からＰＢＢフレームを受信すると、当該ＰＢＢフレームに設定されたＢ−ＶＩＤ「１０」及びＢ−ＤＡ「Ｙ１」を検索キーとして、図１１のテーブルから該当するエントリを検索する。
【００６８】
前記検索の結果、Ｎ２は、有効フラグが「Available」である第２エントリを検出し、この第２エントリの書換フィールドに基づいて、Ｂ−ＶＩＤ及びＢ−ＤＡの書き換えが有効であるかを判定する。図１１に示す例では、第２エントリのＢ−ＶＩＤ及びＢ−ＤＡ書き換えフィールドは有効であり、「Ｂ−ＤＡ＝Ｙ２，Ｂ−ＶＩＤ＝２００」であるので、Ｎ２は、Ｎ１から受信したＰＢＢフレームのＢ−ＶＩＤを「１０」から「２００」に書き換えるとともに、Ｂ−ＤＡを「Ｙ１」から「Ｙ２」に書き換える。さらに、Ｎ２は、第２エントリの出力ポートの値に基づき、次のノードＮ６へ通じる出力ポート「Port-3」へ当該ＰＢＢフレームを転送する。
【００６９】
このように、Ｎ２は、障害を検知すると、ＰＢＢフレームのＢ−ＶＩＤ及びＢ−ＤＡを書き換えて、当該ＰＢＢフレームの転送経路を現用パスから予備パスへ切り替えて転送することができる。
また、予備パスの終点ノードであるＮ３は、例えば、図１２に示すテーブルを有していてもよい。
【００７０】
この図１２のテーブルは、例示的に、有効フラグ「Available」，Ｂ−ＤＡ＋Ｂ−ＶＩＤ「Ｂ−ＤＡ＝Ｙ１，Ｂ−ＶＩＤ＝１０」，書換「ＮＡ」，出力ポート「Port-2」が対応付けられた第１エントリと、有効フラグ「Available」，Ｂ−ＤＡ＋Ｂ−ＶＩＤ「Ｂ−ＤＡ＝Ｙ２，Ｂ−ＶＩＤ＝２００」，書換「Ｂ−ＤＡ＝Ｙ１，Ｂ−ＶＩＤ＝１０」，出力ポート「Port-2」が対応付けられた第２エントリとを有する。なお、Port-2は、図６中、Ｎ３からＮ４への経路（現用パス）に通じるＮ３の出力ポートである。Ｎ３は、現用パス及び予備パスを介して受信したＰＢＢフレームのいずれも、現用パス上の次のノードＮ４に転送するため、第１及び第２エントリの有効フラグはいずれも「Available」である。
【００７１】
Ｎ２とＮ３との間の経路で障害が発生していない場合、Ｎ３は現用パスを介してＮ２から、Ｂ−ＶＩＤ「１０」及びＢ−ＤＡ「Ｙ１」が設定されたＰＢＢフレームを受信する。
次に、Ｎ３は、受信したＰＢＢフレームに設定されたＢ−ＶＩＤ「１０」及びＢ−ＤＡ「Ｙ１」を検索キーとして、図１２のテーブルから該当するエントリを検索する。
前記検索の結果、Ｎ３は、有効フラグが「Available」である第１エントリを検出し、この第１エントリの書換フィールドに基づいて、Ｂ−ＶＩＤ及びＢ−ＤＡの書き換えが有効であるかを判定する。図１２に示す例では、第１エントリのＢ−ＶＩＤ及びＢ−ＤＡ書き換えフィールドは「ＮＡ（無効）」であるので、Ｎ３は、Ｎ２から受信したＰＢＢフレームのＢ−ＶＩＤ及びＢ−ＤＡの書き換えを行なわない。
【００７２】
そして、Ｎ３は、第１エントリの出力ポートの値に基づき、次のノードＮ４へ通じる出力ポート「Port-2」へ当該ＰＢＢフレームを転送する。
一方、Ｎ２とＮ３との間の経路で障害が発生している場合、Ｎ３は予備のパスを介してＮ７から、Ｂ−ＶＩＤ「２００」及びＢ−ＤＡ「Ｙ２」が設定されたＰＢＢフレームを受信する。
【００７３】
次に、Ｎ３は、受信したＰＢＢフレームに設定されたＢ−ＶＩＤ「２００」及びＢ−ＤＡ「Ｙ２」を検索キーとして、図１２のテーブルから該当するエントリを検索する。
前記検索の結果、Ｎ３は、有効フラグが「Available」である第２エントリを検出し、この第２エントリの書換フィールドに基づいて、Ｂ−ＶＩＤ及びＢ−ＤＡの書き換えが有効であるかを判定する。図１２に示す例では、第２エントリのＢ−ＶＩＤ及びＢ−ＤＡ書き換えフィールドは有効であり、「Ｂ−ＤＡ＝Ｙ１，Ｂ−ＶＩＤ＝１０」であるので、Ｎ３は、Ｎ７から受信したＰＢＢフレームのＢ−ＶＩＤを「２００」から「１０」に書き換えるとともに、Ｂ−ＤＡを「Ｙ２」から「Ｙ１」に書き換える。さらに、Ｎ３は、第２エントリの出力ポートの値に基づき、次のノードＮ４へ通じる出力ポート「Port-2」へ当該ＰＢＢフレームを転送する。
【００７４】
このように、予備パスの終点ノードＮ３は、予備パスを介して受信したＰＢＢフレームを現用パスへ転送することができる。
また、Ｎ２とＮ３との間の経路で発生した障害に加え、図１３に示すように、Ｎ３とＮ４との間の経路でも障害が発生した場合、前述の予備パス（Protection Path #1）の他、Ｎ３，Ｎ７，Ｎ４を経由する別の予備パス（Protection Path #2）を介してＰＢＢフレームが伝送される。
【００７５】
図１４は、図１３記載のＰＢＢ−ＴＥ網１０において、Ｎ２とＮ３との間の経路及びＮ３とＮ４との間の経路で障害が発生している場合のＮ７が保持するテーブルの一例である。
このテーブルは、例示的に、有効フラグ「Available」，Ｂ−ＤＡ＋Ｂ−ＶＩＤ「Ｂ−ＤＡ＝Ｙ２，Ｂ−ＶＩＤ＝２００」，書換「ＮＡ」，出力ポート「Port-2」が対応付けられた第１エントリと、有効フラグ「Available」，Ｂ−ＤＡ＋Ｂ−ＶＩＤ「Ｂ−ＤＡ＝Ｙ２，Ｂ−ＶＩＤ＝２０１」，書換「ＮＡ」，出力ポート「Port-3」が対応付けられた第２エントリとを有する。なお、Port-2は、図１３中、Ｎ７からＮ３への経路に通じるＮ７の出力ポートであり、Port-3は、図１３中、Ｎ７からＮ４への経路に通じるＮ７の出力ポートである。Ｎ７では、Protection Path #1とProtection Path #2とを別個のパスとしてＦＤＢ５に認識させるため、Protection Path #1のＢ−ＶＩＤとProtection Path #2のＢ−ＶＩＤとが異なる値に設定されている。
【００７６】
Ｎ７が図１４に示すテーブルに基づいてＰＢＢフレームの転送処理を行なう場合、Ｎ７は、まず、フレーム受信部２により、Ｎ６からＰＢＢフレームを受信する。
次に、Ｎ７は、受信したＰＢＢフレームに設定されたＢ−ＶＩＤ「２００」及びＢ−ＤＡ「Ｙ２」を検索キーとして、図１４のテーブルから該当するエントリを検索する。
前記検索の結果、Ｎ７は、有効フラグが「Available」である第１エントリを検出し、この第１エントリの書換フィールドに基づいて、Ｂ−ＶＩＤ及びＢ−ＤＡの書き換えが有効であるかを判定する。図１４に示す例では、第１エントリのＢ−ＶＩＤ及びＢ−ＤＡ書き換えフィールドは「ＮＡ（無効）」であるので、Ｎ７は、Ｎ６から受信したＰＢＢフレームのＢ−ＶＩＤ及びＢ−ＤＡの書き換えを行なわない。
【００７７】
そして、Ｎ７は、第１エントリの出力ポートの値に基づき、次のノードＮ３へ通じる出力ポート「Port-2」へ当該ＰＢＢフレームを転送する。
Protection Path #1の終点ノードであり、Protection Path #2の始点ノードであるＮ３は、例えば、Ｎ３とＮ４との間の経路において障害が発生している場合、図１５に示すテーブルを有する。
【００７８】
この図１５のテーブルは、例示的に、有効フラグ「ＮＡ」，Ｂ−ＤＡ＋Ｂ−ＶＩＤ「Ｂ−ＤＡ＝Ｙ１，Ｂ−ＶＩＤ＝１０」，書換「ＮＡ」，出力ポート「Port-2」が対応付けられた第１エントリと、有効フラグ「Available」，Ｂ−ＤＡ＋Ｂ−ＶＩＤ「Ｂ−ＤＡ＝Ｙ１，Ｂ−ＶＩＤ＝１０」，書換「Ｂ−ＤＡ＝Ｙ２，Ｂ−ＶＩＤ＝２０１」，出力ポート「Port-3」が対応付けられた第２エントリと、有効フラグ「Available」，Ｂ−ＤＡ＋Ｂ−ＶＩＤ「Ｂ−ＤＡ＝Ｙ２，Ｂ−ＶＩＤ＝２００」，書換「Ｂ−ＤＡ＝Ｙ１，Ｂ−ＶＩＤ＝１０」，出力ポート「Port-2」が対応付けられた第３エントリとを有する。なお、Port-2は、図１３中、Ｎ３からＮ４への経路（現用パス）に通じるＮ３の出力ポートであり、Port-3は、図１３中、Ｎ３からＮ７への経路（予備パス）に通じるＮ３の出力ポートである。
【００７９】
なお、Ｎ３とＮ４との間の経路で障害が発生していない場合、Ｎ３は、Ｎ２またはＮ７から受信したＰＢＢフレームをＮ４に直接転送するために、図１５のテーブルの第１エントリの有効フラグを「Available」に変更するとともに、第２エントリの有効フラグを「ＮＡ」に変更することができる。
図１３に例示するように、Ｎ３とＮ４との間の経路で障害が発生している場合、Ｎ３は、Protection Path #1を介してＮ７から、Ｂ−ＶＩＤ「２００」及びＢ−ＤＡ「Ｙ２」が設定されたＰＢＢフレームを受信する。
【００８０】
次に、Ｎ３は、受信したＰＢＢフレームに設定されたＢ−ＶＩＤ「２００」及びＢ−ＤＡ「Ｙ２」を検索キーとして、図１５のテーブルから該当するエントリを検索する。
前記検索の結果、Ｎ３は、有効フラグが「Available」である第３エントリを検出し、この第３エントリの書換フィールドに基づいて、Ｂ−ＶＩＤ及びＢ−ＤＡの書き換えが有効であるかを判定する。図１５に示す例では、第３エントリのＢ−ＶＩＤ及びＢ−ＤＡ書き換えフィールドは有効であり、「Ｂ−ＤＡ＝Ｙ１，Ｂ−ＶＩＤ＝１０」であるので、Ｎ３は、Ｎ７から受信したＰＢＢフレームのＢ−ＶＩＤを「２００」から「１０」に書き換えるとともに、Ｂ−ＤＡを「Ｙ２」から「Ｙ１」に書き換える。
【００８１】
そして、Ｎ３は、第３エントリの出力ポートの値に基づき、次のノードＮ４へ通じる出力ポート「Port-2」へ当該ＰＢＢフレームを転送しようとするが、Port-2（Ｎ４へのリンク）はダウンしているため、ＰＢＢフレームの送出は行なわれない。
この場合、Ｎ３は、上記書き換え後のＢ−ＶＩＤ「１０」及びＢ−ＤＡ「Ｙ１」を検索キーとして、再度、図１５のテーブルから該当するエントリを検索する。
【００８２】
この再検索の結果、Ｎ３は、有効フラグが「Available」である第２エントリを検出し、この第２エントリの書換フィールドに基づいて、Ｂ−ＶＩＤ及びＢ−ＤＡの書き換えが有効であるかを判定する。図１５に示す例では、第２エントリのＢ−ＶＩＤ及びＢ−ＤＡ書き換えフィールドは有効であり、「Ｂ−ＤＡ＝Ｙ２，Ｂ−ＶＩＤ＝２０１」であるので、Ｎ３は、上記書き換え後のＰＢＢフレームのＢ−ＶＩＤを「１０」から「２０１」に書き換えるとともに、Ｂ−ＤＡを「Ｙ１」から「Ｙ２」に書き換える。
【００８３】
そして、Ｎ３は、第２エントリの出力ポートの値に基づき、次のノードＮ７へ通じる出力ポート「Port-3」へ当該ＰＢＢフレームを転送する。
次に、Ｎ３からＰＢＢフレームを受信したＮ７は、受信したＰＢＢフレームに設定されたＢ−ＶＩＤ「２０１」及びＢ−ＤＡ「Ｙ２」を検索キーとして、図１４のテーブルから該当するエントリを検索する。
【００８４】
前記検索の結果、Ｎ７は、有効フラグが「Available」である第２エントリを検出し、この第２エントリの書換フィールドに基づいて、Ｂ−ＶＩＤ及びＢ−ＤＡの書き換えが有効であるかを判定する。図１４に示す例では、第２エントリのＢ−ＶＩＤ及びＢ−ＤＡ書き換えフィールドは「ＮＡ（無効）」であるので、Ｎ７は、Ｎ３から受信したＰＢＢフレームのＢ−ＶＩＤ及びＢ−ＤＡの書き換えを行なわない。
【００８５】
そして、Ｎ７は、第２エントリの出力ポートの値に基づき、次のノードＮ４へ通じる出力ポート「Port-3」へ当該ＰＢＢフレームを転送する。
Ｎ７からＰＢＢフレームを受信したＮ４は、例えば、Ｎ４のＦＤＢ５が保持するテーブル内容に基づき、当該ＰＢＢフレームのＢ−ＶＩＤを「２０１」から「１０」に書き換えるとともに、Ｂ−ＤＡを「Ｙ２」から「Ｙ１」に書き換えて、ＥＢＥＢ９−２（Ｎ５）へ転送する。
【００８６】
Ｎ４からＰＢＢフレームを受信したＮ５は、当該ＰＢＢフレームのＢ−ＤＡに自局（Ｎ５）のＭＡＣアドレス「Ｙ１」が設定されていることを検出し、当該ＰＢＢフレームの終端処理を行なう。このとき、Ｎ５は、ＰＢＢフレームからＢ−ＴＡＧ，Ｂ−ＤＡ，Ｂ−ＳＡ及びＩ−ＴＡＧを除去することにより、当該ＰＢＢフレームをデカプセル化してユーザフレームを抽出（生成）する。そして、Ｎ５は、前記抽出したユーザフレームを、他のネットワーク（ＰＢＮ，ＰＢＢＮなど）へ転送する。
【００８７】
以上のように、複数のセグメントにおいて障害が発生した場合であっても、それらの障害セグメントを迂回する複数の予備パスを個別に設定することができる。また、複数の予備パスのＢ−ＶＩＤをそれぞれ異なる値（図１３に示す例では、「２００」及び「２０１」）とすることができるので、ネットワーク１０のスケーラビリティが向上する。
また、図１６に例示するように、ＥＢＥＢ９−２（Ｎ５）に複数のサブアドレス「Ｙ２」及び「Ｙ３」を設定し、当該複数のサブアドレスにより複数の予備パス（Protection Path #1，Protection Path #2）を識別するようにしてもよい。
【００８８】
この場合、例えば、Ｎ７は図１７に例示するテーブルを保持する。
図１７のテーブルは、例示的に、有効フラグ「Available」，Ｂ−ＤＡ＋Ｂ−ＶＩＤ「Ｂ−ＤＡ＝Ｙ２，Ｂ−ＶＩＤ＝２００」，書換「ＮＡ」，出力ポート「Port-2」が対応付けられた第１エントリと、有効フラグ「Available」，Ｂ−ＤＡ＋Ｂ−ＶＩＤ「Ｂ−ＤＡ＝Ｙ３，Ｂ−ＶＩＤ＝２００」，書換「ＮＡ」，出力ポート「Port-3」が対応付けられた第２エントリとを有する。なお、Port-2は、図１６中、Ｎ７からＮ３への経路に通じるＮ７の出力ポートであり、Port-3は、図１６中、Ｎ７からＮ４への経路に通じるＮ７の出力ポートである。Ｎ７では、Protection Path #1とProtection Path #2とを別個のパスとしてＦＤＢ５に認識させるため、Protection Path #1のＢ−ＤＡとProtection Path #2のＢ−ＤＡとには異なる値が設定されている。
【００８９】
Ｎ７が図１７に示すテーブルに基づいてＰＢＢフレームの転送処理を行なう場合、Ｎ７は、まず、フレーム受信部２により、Ｎ６からＰＢＢフレームを受信する。
次に、Ｎ７は、受信したＰＢＢフレームに設定されたＢ−ＶＩＤ「２００」及びＢ−ＤＡ「Ｙ２」を検索キーとして、図１７テーブルから該当するエントリを検索する。
前記検索の結果、Ｎ７は、有効フラグが「Available」である第１エントリを検出し、この第１エントリの書換フィールドに基づいて、Ｂ−ＶＩＤ及びＢ−ＤＡの書き換えが有効であるかを判定する。図１７に示す例では、第１エントリのＢ−ＶＩＤ及びＢ−ＤＡ書き換えフィールドは「ＮＡ（無効）」であるので、Ｎ７は、Ｎ６から受信したＰＢＢフレームのＢ−ＶＩＤ及びＢ−ＤＡの書き換えを行なわない。
【００９０】
そして、Ｎ７は、第１エントリの出力ポートの値に基づき、次のノードＮ３へ通じる出力ポート「Port-2」へ当該ＰＢＢフレームを転送する。
Protection Path #1の終点ノードであり、Protection Path #2の始点ノードであるＮ３は、例えば、Ｎ３とＮ４との間の経路において障害が発生している場合、図１８に示すテーブルを有する。
【００９１】
この図１８のテーブルは、例示的に、有効フラグ「ＮＡ」，Ｂ−ＤＡ＋Ｂ−ＶＩＤ「Ｂ−ＤＡ＝Ｙ１，Ｂ−ＶＩＤ＝１０」，書換「ＮＡ」，出力ポート「Port-2」が対応付けられた第１エントリと、有効フラグ「Available」，Ｂ−ＤＡ＋Ｂ−ＶＩＤ「Ｂ−ＤＡ＝Ｙ１，Ｂ−ＶＩＤ＝１０」，書換「Ｂ−ＤＡ＝Ｙ３，Ｂ−ＶＩＤ＝２００」，出力ポート「Port-3」が対応付けられた第２エントリと、有効フラグ「Available」，Ｂ−ＤＡ＋Ｂ−ＶＩＤ「Ｂ−ＤＡ＝Ｙ２，Ｂ−ＶＩＤ＝２００」，書換「Ｂ−ＤＡ＝Ｙ１，Ｂ−ＶＩＤ＝１０」，出力ポート「Port-2」が対応付けられた第３エントリとを有する。なお、Port-2は、図１６中、Ｎ３からＮ４への経路（現用パス）に通じるＮ３の出力ポートであり、Port-3は、図１６中、Ｎ３からＮ７への経路（予備パス）に通じるＮ３の出力ポートである。
【００９２】
なお、Ｎ３とＮ４との間の経路で障害が発生していない場合、Ｎ３は、Ｎ２またはＮ７から受信したＰＢＢフレームをＮ４に直接転送するために、図１８のテーブルの第１エントリの有効フラグを「Available」に変更するとともに、第２エントリの有効フラグを「ＮＡ」に変更することができる。
図１６に例示するように、Ｎ３とＮ４との間の経路で障害が発生している場合、Ｎ３は、Protection Path #1を介してＮ７から、Ｂ−ＶＩＤ「２００」及びＢ−ＤＡ「Ｙ２」が設定されたＰＢＢフレームを受信する。
【００９３】
次に、Ｎ３は、受信したＰＢＢフレームに設定されたＢ−ＶＩＤ「２００」及びＢ−ＤＡ「Ｙ２」を検索キーとして、図１８のテーブルから該当するエントリを検索する。
前記検索の結果、Ｎ３は、有効フラグが「Available」である第３エントリを検出し、この第３エントリの書換フィールドに基づいて、Ｂ−ＶＩＤ及びＢ−ＤＡの書き換えが有効であるかを判定する。図１８に示す例では、第３エントリのＢ−ＶＩＤ及びＢ−ＤＡ書き換えフィールドは有効であり、「Ｂ−ＤＡ＝Ｙ１，Ｂ−ＶＩＤ＝１０」であるので、Ｎ３は、Ｎ７から受信したＰＢＢフレームのＢ−ＶＩＤを「２００」から「１０」に書き換えるとともに、Ｂ−ＤＡを「Ｙ２」から「Ｙ１」に書き換える。
【００９４】
そして、Ｎ３は、第３エントリの出力ポートの値に基づき、次のノードＮ４へ通じる出力ポート「Port-2」へ当該ＰＢＢフレームを転送しようとするが、Port-2（Ｎ４へのリンク）はダウンしているため、ＰＢＢフレームの送出は行なわれない。
この場合、Ｎ３は、上記書き換え後のＢ−ＶＩＤ「１０」及びＢ−ＤＡ「Ｙ１」を検索キーとして、再度、図１８のテーブルから該当するエントリを検索する。
【００９５】
この再検索の結果、Ｎ３は、有効フラグが「Available」である第２エントリを検出し、この第２エントリの書換フィールドに基づいて、Ｂ−ＶＩＤ及びＢ−ＤＡの書き換えが有効であるかを判定する。図１８に示す例では、第２エントリのＢ−ＶＩＤ及びＢ−ＤＡ書き換えフィールドは有効であり、「Ｂ−ＤＡ＝Ｙ３，Ｂ−ＶＩＤ＝２００」であるので、Ｎ３は、Ｎ７から受信したＰＢＢフレームのＢ−ＶＩＤを「１０」から「２００」に書き換えるとともに、Ｂ−ＤＡを「Ｙ１」から「Ｙ３」に書き換える。
【００９６】
そして、Ｎ３は、第２エントリの出力ポートの値に基づき、次のノードＮ７へ通じる出力ポート「Port-3」へ当該ＰＢＢフレームを転送する。
次に、Ｎ３からＰＢＢフレームを受信したＮ７は、受信したＰＢＢフレームに設定されたＢ−ＶＩＤ「２００」及びＢ−ＤＡ「Ｙ３」を検索キーとして、図１７のテーブルから該当するエントリを検索する。
【００９７】
前記検索の結果、Ｎ７は、有効フラグが「Available」である第２エントリを検出し、この第２エントリの書換フィールドに基づいて、Ｂ−ＶＩＤ及びＢ−ＤＡの書き換えが有効であるかを判定する。図１７に示す例では、第２エントリのＢ−ＶＩＤ及びＢ−ＤＡ書き換えフィールドは「ＮＡ（無効）」であるので、Ｎ７は、Ｎ３から受信したＰＢＢフレームのＢ−ＶＩＤ及びＢ−ＤＡの書き換えを行なわない。
【００９８】
そして、Ｎ７は、第２エントリの出力ポートの値に基づき、次のノードＮ４へ通じる出力ポート「Port-3」へ当該ＰＢＢフレームを転送する。
Ｎ７からＰＢＢフレームを受信したＮ４は、例えば、Ｎ４のＦＤＢ５が保持するテーブルに基づき、当該ＰＢＢフレームのＢ−ＶＩＤを「２００」から「１０」に書き換えるとともに、Ｂ−ＤＡを「Ｙ３」から「Ｙ１」に書き換えて、ＥＢＥＢ９−２（Ｎ５）へ転送する。
【００９９】
Ｎ４からＰＢＢフレームを受信したＮ５は、当該ＰＢＢフレームのＢ−ＤＡに自局（Ｎ５）のＭＡＣアドレス「Ｙ１」が設定されていることを検出し、当該ＰＢＢフレームの終端処理を行なう。このとき、Ｎ５は、ＰＢＢフレームからＢ−ＴＡＧ，Ｂ−ＤＡ，Ｂ−ＳＡ及びＩ−ＴＡＧを除去することにより、当該ＰＢＢフレームをデカプセル化してユーザフレームを抽出（生成）する。そして、Ｎ５は、前記抽出したユーザフレームを、他のネットワーク（ＰＢＮ，ＰＢＢＮなど）へ転送する。
【０１００】
このように、ＥＢＥＢ９−２（Ｎ５）に複数のサブアドレスを設定し、複数の予備パスに異なるサブアドレスを割り当てることにより、複数の予備パスを識別するようにしても、上記と同様の効果が得られる。また、複数の予備パスに異なるＢ−ＶＩＤ及び異なるＢ−ＤＡを割り当てれば、ネットワークのスケーラビリティを更に向上させることが可能となる。
【０１０１】
〔２〕第１変形例
また、ＥＢＥＢ９−２（Ｎ５）の４８ビットのＭＡＣアドレス（メインアドレス）のうち、一部のビットをＰＢＢ−ＴＥ網１０の運用状態（現用または予備）に応じて変更（反転）することにより、サブアドレスを生成（設定）するようにしてもよい。即ち、本例では、４８ビットのＭＡＣアドレスのうち一部のビットを現用（Working Path）／予備（Protection Path）の識別用ビットフラグとして使用することにより、現用パス／予備パスのアドレス空間を拡張する。なお、本例のネットワーク１０は、図６と同様の構成を有する。
【０１０２】
ここで、図１９にＭＡＣアドレスの構造の一例を示す。
この図１９に示すように、ＭＡＣアドレスは、４８ビット（６オクテット）で構成され、前半の３オクテットがベンダー識別子（Organizationally Unique Identifier、ＯＵＩ）であり、後半の３オクテットがベンダー管理アドレスである。
第１オクテットの最下位ビットであるＩ／Ｇ（Individual/ Group）ビットは、「０」であれば当該ＭＡＣアドレスがユニキャストアドレス、「１」であれば当該ＭＡＣアドレスがマルチキャストアドレスであることを表す。また、第１オクテットの第２ビットは、Ｕ／Ｌ（Universal/Local）ビットであり、Ｕ／Ｌビットが「０」であれば当該ＭＡＣアドレスがグローバルアドレス、Ｕ／Ｌビットが「１」であれば当該ＭＡＣアドレスがローカルアドレスであることを表す。
【０１０３】
本例では、例えば、ベンダー管理アドレスの第４オクテットの第８ビットを、Ｗ／Ｐ（Working/Protection）ビットとして用いる。例えば、現用（Working）パスを介してＰＢＢフレームを伝送する場合、Ｂ−ＤＡのＷ／Ｐビットを「０」に設定し、予備（Protection）パスを介してＰＢＢフレームを伝送する場合、Ｂ−ＤＡのＷ／Ｐビットを「１」に設定する。
【０１０４】
これにより、各ノード１（９）は、ＰＢＢフレームのＢ−ＤＡに設定されたＥＢＥＢ９−２のＭＡＣアドレスのＷ／Ｐビットが「０」であれば、現用パスを介して当該ＰＢＢフレームを転送し、Ｗ／Ｐビットが「１」であれば、予備パスを介して当該ＰＢＢフレームを転送できる。
即ち、本例では、Ｗ／Ｐビットが「０」のＭＡＣアドレスをＥＢＥＢ９−２のメインアドレスとし、Ｗ／Ｐビットが「１」のＭＡＣアドレスをＥＢＥＢ９−２のサブアドレスとして設定する。
【０１０５】
（２．１）ノード１の動作例
ここで、本例のノード１の動作の一例について、図２０及び図２１を用いて説明する。
図２０に示すように、まず、ノード１のフレーム受信部２が、他のノードからＰＢＢフレームを受信する（ステップＳ２０）。
次に、ノード１は、受信したＰＢＢフレームのＢ−ＤＡに設定されたＭＡＣアドレスのＷ／Ｐビット値をマスクする（ステップＳ２１）。
【０１０６】
また、ノード１のブリッジング部３は、受信したＰＢＢフレームに設定されたＢ−ＶＩＤ及びＢ−ＤＡを検索キーとして、ＦＤＢ５が保持するテーブルを検索する（ステップＳ２２）。このとき、有効フラグが「ＮＡ」であるエントリが検索結果に含まれないようにしてもよい。
そして、ブリッジング部３は、検索により得られたエントリのＢ−ＶＩＤ書換が有効であるかを判定し（ステップＳ２３）、書き換えが有効であれば（ステップＳ２３のＹｅｓルート）、当該ＰＢＢフレームをＢ−ＶＩＤ変換部７へ送出し、Ｂ−ＶＩＤ変換部７により、当該ＰＢＢフレームのＢ−ＶＩＤを書き換える（ステップＳ２４）。一方、検索により得られたエントリのＢ−ＶＩＤ書換が無効であれば（ステップＳ２３のＮｏルート）、Ｂ−ＶＩＤの書き換えは行なわれない。
【０１０７】
次に、ノード１は、検索により得られたエントリのＷ／Ｐフィールドの値が「Ｗ（Working Path）」であるか「Ｐ（Protection Path）」であるかを判定する（ステップＳ２５）。なお、Ｗ／Ｐフィールドは、受信したＰＢＢフレームを現用パスまたは予備パスのいずれかに送出（転送）するかを示すフィールドである。例えば、ＰＢＢフレームを現用パスへ送出する場合は、Ｗ／Ｐフィールドの値に「Ｗ（０）」が設定される一方、ＰＢＢフレームを予備パスへ送出する場合は、Ｗ／Ｐフィールドの値に「Ｐ（１）」が設定される。
【０１０８】
そして、ノード１は、検索により得られたエントリのＷ／Ｐフィールドの値が「Ｗ」であると判定した場合（ステップＳ２５のＹｅｓルート）、ＰＢＢフレームのＢ−ＤＡに設定されたＭＡＣアドレスのＷ／Ｐビットを「０」に設定し（ステップＳ２６）、当該ＰＢＢフレームを次のノードへ送信する（ステップＳ２８）。
一方、ノード１は、検索により得られたエントリのＷ／Ｐフィールドの値が「Ｐ」であると判定した場合（ステップＳ２５のＮｏルート）、ＰＢＢフレームのＢ−ＤＡに設定されたＭＡＣアドレスのＷ／Ｐビットを「１」に設定し（ステップＳ２７）、当該ＰＢＢフレームを次のノードへ送信する（ステップＳ２８）。
【０１０９】
また、図２１に示すように、警報／障害検知部６が障害（または警報）を検知すると（ステップＳ３０）、警報／障害検知部６は、障害の発生したリンク（経路）に通じる出力ポートを検索キーとして、ＦＤＢ５のテーブルを検索する（ステップＳ３１）。このとき、有効フラグが「ＮＡ」であるエントリが検索結果に含まれないようにしてもよい。
そして、警報／障害検知部６は、前記検索により得られるエントリがあるかどうかを判定し（ステップＳ３２）、そのようなエントリが無いと判定されれば（ステップＳ３２のＮｏルート）、処理を終了する（ステップＳ３４）。
【０１１０】
一方、前記検索により得られるエントリが有ると判定されれば（ステップＳ３２のＹｅｓルート）、警報／障害検知部６は、当該エントリの有効フラグを書き換えて（ステップＳ３３）、処理を終了する（ステップＳ３４）。例えば、ステップＳ３２での検索の結果、有効フラグが「Available」であるエントリが検出されれば、当該エントリの有効フラグを「ＮＡ」に変更し、ステップＳ３２での検索の結果、有効フラグが「ＮＡ」であるエントリが検出されれば、当該エントリの有効フラグを「Available」に変更する。
【０１１１】
（２．２）ネットワーク（ＰＢＢ−ＴＥ網）１０の動作例
次に、上記のノード１を有するＰＢＢ−ＴＥ網１０での動作の一例について説明する。
図２２は、ＰＢＢ−ＴＥ網１０が正常に動作している場合のＮ２が保持するテーブルの一例である。
このテーブルは、例示的に、Ｂ−ＤＡ＋Ｂ−ＶＩＤ「Ｂ−ＤＡ＝Ｙ１，Ｂ−ＶＩＤ＝１０」，Ｗ／Ｐ「Ｗ」，書換「ＮＡ」，出力ポート「Port-2」，有効フラグ「Available」が対応付けられた第１エントリと、Ｂ−ＤＡ＋Ｂ−ＶＩＤ「Ｂ−ＤＡ＝Ｙ１，Ｂ−ＶＩＤ＝１０」，Ｗ／Ｐ「Ｐ」，書換「Ｂ−ＶＩＤ＝２００」，出力ポート「Port-3」，有効フラグ「ＮＡ」が対応付けられた第２エントリとを有する。
【０１１２】
Ｎ２が図２２に示すテーブルに基づいてＰＢＢフレームの転送処理を行なう場合、Ｎ２は、まず、フレーム受信部２により、Ｎ１からＰＢＢフレームを受信する。当該ＰＢＢフレームには、Ｎ１により、ユーザ識別子としてＩ−ＳＩＤ、Ｂ−ＳＡに自局（Ｎ１）のＭＡＣアドレス「Ｘ１」、Ｂ−ＤＡに現用パスに対応するＥＢＥＢ９−２（Ｎ５）のＭＡＣアドレス（メインアドレス）「Ｙ１」、Ｂ−ＶＩＤに「１０」が設定されている。
【０１１３】
次に、Ｎ２は、受信したＰＢＢフレームに設定されたＢ−ＶＩＤ「１０」及びＢ−ＤＡ「Ｙ１」を検索キーとして、図２２のテーブルから該当するエントリを検索する。
前記検索の結果、Ｎ２は、有効フラグが「Available」である第１エントリを検出し、この第１エントリの書換フィールドに基づいて、Ｂ−ＶＩＤ及びＢ−ＤＡの書き換えが有効であるかを判定する。図２２に示す例では、第１エントリのＢ−ＶＩＤ及びＢ−ＤＡ書き換えフィールドは「ＮＡ（無効）」であるので、Ｎ２は、Ｎ１から受信したＰＢＢフレームのＢ−ＶＩＤ及びＢ−ＤＡの書き換えを行なわない。
【０１１４】
また、図２２に示す例では、第１エントリのＷ／Ｐフィールドは「Ｗ」であるので、Ｎ２は、ＰＢＢフレームのＢ−ＤＡのＷ／Ｐビットの値を「０」に設定する。なお、受信したＰＢＢフレームのＢ−ＤＡのＷ／Ｐビットの値が、検出されたエントリのＷ／Ｐフィールドの値に対応している場合は、当該設定処理を省略してもよい。
そして、Ｎ２は、第１エントリの出力ポートの値に基づき、次のノードＮ３へ通じる出力ポート「Port-2」へ当該ＰＢＢフレームを転送する。
【０１１５】
図２３は、Ｎ３が保持するテーブルの一例である。
このテーブルは、例示的に、Ｂ−ＤＡ＋Ｂ−ＶＩＤ「Ｂ−ＤＡ＝Ｙ１，Ｂ−ＶＩＤ＝１０」，Ｗ／Ｐ「Ｗ」，書換「ＮＡ」，出力ポート「Port-2」，有効フラグ「Available」が対応付けられた第１エントリと、Ｂ−ＤＡ＋Ｂ−ＶＩＤ「Ｂ−ＤＡ＝Ｙ１´，Ｂ−ＶＩＤ＝２００」，Ｗ／Ｐ「Ｗ」，書換「Ｂ−ＶＩＤ＝１０」，出力ポート「Port-2」，有効フラグ「Available」が対応付けられた第２エントリとを有する。なお、「Ｙ１´」は、「Ｙ１」のＷ／Ｐビットを「０」から「１」に変更した、ＥＢＥＢ９−２（Ｎ５）のサブアドレスである。
【０１１６】
Ｎ２からＰＢＢフレームを受信したＮ３は、ＰＢＢフレームに設定されたＢ−ＶＩＤ「１０」及びＢ−ＤＡ「Ｙ１」を検索キーとして、図２３のテーブルから該当するエントリを検索する。
前記検索の結果、Ｎ３は、有効フラグが「Available」である第１エントリを検出し、この第１エントリの書換フィールドに基づいて、Ｂ−ＶＩＤの書き換えが有効であるかを判定する。図２３に示す例では、第１エントリのＢ−ＶＩＤ書き換えフィールドは「ＮＡ（無効）」であるので、Ｎ３は、Ｎ２から受信したＰＢＢフレームのＢ−ＶＩＤの書き換えを行なわない。
【０１１７】
また、図２３に示す例では、第１エントリのＷ／Ｐフィールドは「Ｗ」であるので、Ｎ３は、ＰＢＢフレームのＢ−ＤＡのＷ／Ｐビットの値を「０」に設定する。なお、受信したＰＢＢフレームのＢ−ＤＡのＷ／Ｐビットの値が、検出されたエントリのＷ／Ｐフィールドの値に対応している場合は、当該設定処理を省略してもよい。
そして、Ｎ３は、第１エントリの出力ポートの値に基づき、次のノードＮ４へ通じる出力ポート「Port-2」へ当該ＰＢＢフレームを転送する。
【０１１８】
Ｎ４においても、Ｎ３と同様の転送処理が行なわれ、ＰＢＢフレームは、Ｎ５へ転送される。
Ｎ４からＰＢＢフレームを受信したＮ５は、当該ＰＢＢフレームのＢ−ＤＡに自局（Ｎ５）のＭＡＣアドレス（メインアドレス）「Ｙ１」が設定されていることを検出し、当該ＰＢＢフレームをデカプセル化し、ユーザフレームを抽出して他のネットワークへ当該ユーザフレームを転送する。
【０１１９】
一方、例えば、警報／障害検知部６により、Ｎ３へ通じる経路において障害（または警報）が検知された場合、Ｎ２は、障害の発生したリンク（経路）に通じる出力ポート「Port-2」を検索キーとして、図２２のテーブルから該当するエントリを検索する。
前記検索の結果、Ｎ２は、第１エントリを検出し、図２４に示すように、第１エントリの有効フラグを「ＮＡ」に変更するとともに、第１エントリに対応する第２エントリの有効フラグを「Available」に変更する。
【０１２０】
その後、Ｎ２は、図２４のテーブル（変更後のテーブル）に基づいて、ＰＢＢフレームの転送処理を行なう。
例えば、Ｎ２が、Ｎ１からＰＢＢフレームを受信すると、当該ＰＢＢフレームに設定されたＢ−ＶＩＤ「１０」及びＢ−ＤＡ「Ｙ１」を検索キーとして、図２４のテーブルから該当するエントリを検索する。
【０１２１】
前記検索の結果、Ｎ２は、有効フラグが「Available」である第２エントリを検出し、この第２エントリの書換フィールドに基づいて、Ｂ−ＶＩＤの書き換えが有効であるかを判定する。図２４に示す例では、第２エントリのＢ−ＶＩＤ書き換えフィールドは有効であり、「Ｂ−ＶＩＤ＝２００」であるので、Ｎ２は、Ｎ１から受信したＰＢＢフレームのＢ−ＶＩＤを「１０」から「２００」に書き換える。
【０１２２】
また、図２４に示す例では、第２エントリのＷ／Ｐフィールドは「Ｐ」であるので、Ｎ２は、ＰＢＢフレームのＢ−ＤＡのＷ／Ｐビットの値を「０」から「１」に変更（設定）する。
そして、Ｎ２は、第２エントリの出力ポートの値に基づき、次のノードＮ６へ通じる出力ポート「Port-3」へ当該ＰＢＢフレームを転送する。
【０１２３】
このように、Ｎ２は、障害を検知すると、現用のパスから予備のパスへ切り替えてＰＢＢフレームを転送することができる。なお、Ｎ２は、Ｂ−ＶＩＤ及びＷ／Ｐビットを変更することに代えて、Ｗ／Ｐビットのみを変更するようにしても同様の効果が得られる。
図２５は、Ｎ６が保持するテーブルの一例である。
このテーブルは、例示的に、Ｂ−ＤＡ＋Ｂ−ＶＩＤ「Ｂ−ＤＡ＝Ｙ１´，Ｂ−ＶＩＤ＝２００」，書換「ＮＡ」，出力ポート「Port-2」，有効フラグ「Available」が対応付けられた第１エントリを有する。
【０１２４】
Ｎ２からＰＢＢフレームを受信したＮ６は、ＰＢＢフレームに設定されたＢ−ＶＩＤ「２００」及びＢ−ＤＡ「Ｙ１´」を検索キーとして、図２５のテーブルから該当するエントリを検索する。
前記検索の結果、Ｎ６は、有効フラグが「Available」である第１エントリを検出し、この第１エントリの書換フィールドに基づいて、Ｂ−ＶＩＤの書き換えが有効であるかを判定する。図２５に示す例では、第１エントリのＢ−ＶＩＤ書き換えフィールドは「ＮＡ（無効）」であるので、Ｎ６は、Ｎ２から受信したＰＢＢフレームのＢ−ＶＩＤの書き換えを行なわない。
【０１２５】
そして、Ｎ６は、第１エントリの出力ポートの値に基づき、次のノードＮ７へ通じる出力ポート「Port-2」へ当該ＰＢＢフレームを転送する。
Ｎ７においても、Ｎ６と同様の転送処理が行なわれ、ＰＢＢフレームは、Ｎ３へ転送される。
Ｎ７からＰＢＢフレームを受信したＮ３は、ＰＢＢフレームに設定されたＢ−ＶＩＤ「２００」及びＢ−ＤＡ「Ｙ１´」を検索キーとして、図２３のテーブルから該当するエントリを検索する。
【０１２６】
前記検索の結果、Ｎ３は、有効フラグが「Available」である第２エントリを検出し、この第２エントリの書換フィールドに基づいて、Ｂ−ＶＩＤの書き換えが有効であるかを判定する。図２３に示す例では、第２エントリのＢ−ＶＩＤ書き換えフィールドは有効であり、「Ｂ−ＶＩＤ＝１０」であるので、Ｎ３は、Ｎ７から受信したＰＢＢフレームのＢ−ＶＩＤを「２００」から「１０」に書き換える。
【０１２７】
また、図２３に示す例では、第２エントリのＷ／Ｐフィールドは「Ｗ」であるので、Ｎ３は、ＰＢＢフレームのＢ−ＤＡのＷ／Ｐビットの値を「１」から「０」に変更（設定）する。
そして、Ｎ３は、第２エントリの出力ポートの値に基づき、次のノードＮ４へ通じる出力ポート「Port-2」へ当該ＰＢＢフレームを転送する。
【０１２８】
Ｎ４においても、Ｎ３と同様の転送処理が行なわれ、ＰＢＢフレームは、Ｎ５へ転送される。
Ｎ４からＰＢＢフレームを受信したＮ５は、当該ＰＢＢフレームのＢ−ＤＡに自局（Ｎ５）のＭＡＣアドレス（メインアドレス）「Ｙ１」が設定されていることを検出し、当該ＰＢＢフレームをデカプセル化し、ユーザフレームを抽出して他のネットワークへ当該ユーザフレームを転送する。
【０１２９】
以上のように、ＥＢＥＢ９−２（Ｎ５）のサブアドレスを、メインアドレスのＷ／Ｐビットを変更することにより生成した場合でも、上述の実施形態と同様の効果を得られるほか、Ｗ／Ｐビットを制御することにより、現用パス及び予備パスを切り替えて制御することができるので、制御を単純化することが可能となる。また、ＦＤＢ５に格納する情報量を低減させることができるので、ＦＤＢ５におけるメモリ使用量を削減することが可能となる。
【０１３０】
〔３〕第２変形例
また、図２６に例示するように、ＰＢＢフレームのＢ−ＤＡに予備パスを終端するノード（Ｎ３）のＭＡＣアドレスを設定するようにしてもよい。
この場合、Ｎ２は、Ｎ２とＮ３との間の経路で障害が発生したことを検知すると、Ｎ１から受信したＰＢＢフレームのＢ−ＤＡの値を「Ｙ１」から「Ｚ（Ｎ３のＭＡＣアドレス）」に変更する。
【０１３１】
そして、Ｎ２が保持するテーブル内容に基づいて、ＰＢＢフレームを、予備パスを介してＮ３へ転送する。なお、Ｎ２から予備パスを介してＰＢＢフレームを受信したＮ３は、当該ＰＢＢフレームのＢ−ＤＡの値を「Ｚ」から「Ｙ１」に変更して、次のノードＮ４へ転送するようにしてもよい。
本例によれば、上述した実施形態と同様の効果を得られるほか、予備パスの終端ノードである中継装置のＭＡＣアドレスを用いて、ＰＢＢフレームの伝送経路を識別できるので、ＭＡＣアドレス空間を更に効率的に使用することができる。
【０１３２】
〔４〕その他
なお、上述したノード１の各構成及び各処理は、必要に応じて取捨選択してもよいし、適宜組み合わせてもよい。
また、上述した例では、セグメントプロテクション方式を用いたネットワークシステム例として各実施形態及び変形例を説明したが、パスプロテクション方式やその他の伝送制御方法を用いたネットワークシステムに本発明を適用してもよい。
【０１３３】
以上の実施形態に関し、さらに以下の付記を開示する。
〔５〕付記
（付記１）
現用回線及び予備回線を介して伝送フレームを伝送する伝送装置において、
前記現用回線での障害を検出する検出部と、
前記検出部により障害が検出されると、前記伝送フレームが有する第１の宛先アドレスを前記第１の宛先アドレスとは異なる第２の宛先アドレスに変更して、前記伝送フレームを前記予備回線へ伝送する制御を行なう制御部と、をそなえた、
ことを特徴とする、伝送装置。
【０１３４】
（付記２）
前記第１の宛先アドレス及び前記第２の宛先アドレスが、前記現用回線の終端に位置する伝送装置のＭＡＣアドレスである、
ことを特徴とする、付記１記載の伝送装置。
（付記３）
前記第１の宛先アドレスが、前記現用回線の終端に位置する伝送装置のＭＡＣアドレスであって、
前記第２の宛先アドレスが、前記第１の宛先アドレスの所定のビットフラグを反転させたものである、
ことを特徴とする、付記１記載の伝送装置。
【０１３５】
（付記４）
前記第２のアドレスが、前記予備回線を終端する伝送装置のＭＡＣアドレスである、
ことを特徴とする、付記１記載の伝送装置。
（付記５）
前記制御部が、
前記変更後の伝送フレームが有する前記第２の宛先アドレスを前記第１の宛先アドレスに戻して、前記伝送フレームを前記現用回線へ伝送する制御を行なう、
ことを特徴とする、付記１〜４のいずれか１項に記載の伝送装置。
【０１３６】
（付記６）
前記制御部が、
前記伝送フレームが有する経路識別用の第１の経路識別子を前記第１の経路識別子とは異なる第２の経路識別子に変更する、
ことを特徴とする、付記１〜５のいずれか１項に記載の伝送装置。
【０１３７】
（付記７）
前記制御部が、
前記検出部により障害が検出されないと、前記変更を行なわずに、前記伝送フレームが有する第１の宛先アドレスに基づいて、前記伝送フレームを前記現用回線へ伝送する制御を行なう、
ことを特徴とする、付記１〜６のいずれか１項に記載の伝送装置。
【０１３８】
（付記８）
現用回線及び予備回線を介した伝送フレームの伝送方法において、
前記現用回線での障害を検出し、
前記検出の結果に応じて、前記伝送フレームが有する第１の宛先アドレスを前記第１の宛先アドレスとは異なる第２の宛先アドレスに変更し、
前記変更後の伝送フレームを前記予備回線へ伝送する、
ことを特徴とする、伝送方法。
【０１３９】
（付記９）
前記第１の宛先アドレス及び前記第２の宛先アドレスが、前記現用回線の終端に位置する伝送装置のＭＡＣアドレスである、
ことを特徴とする、付記８記載の伝送方法。
（付記１０）
前記第１の宛先アドレスが、前記現用回線の終端に位置する伝送装置のＭＡＣアドレスであって、
前記第２の宛先アドレスが、前記第１の宛先アドレスの所定のビットフラグを反転させたものである、
ことを特徴とする、付記８記載の伝送方法。
【０１４０】
（付記１１）
前記第２のアドレスが、前記予備回線を終端する伝送装置のＭＡＣアドレスである、
ことを特徴とする、付記８記載の伝送方法。
（付記１２）
現用回線及び予備回線を介して伝送フレームを伝送する伝送装置をそなえた伝送システムにおいて、
前記現用回線での障害を検出する検出部と、
前記検出部により障害が検出されると、前記伝送フレームが有する第１の宛先アドレスを前記第１の宛先アドレスとは異なる第２の宛先アドレスに変更して、前記伝送フレームを前記予備回線へ伝送する制御を行なう制御部と、をそなえた、
ことを特徴とする、伝送システム。
【符号の説明】
【０１４１】
１，１−１，１−２，１−３，１−４，１−５  ＢＣＢ
２  フレーム受信部
３  ブリッジング部
４  フレーム送信部
５  ＦＤＢ
６  警報／障害検知部
７  Ｂ−ＶＩＤ変換部（ＶＬＡＮ  ＳＷＡＰ）
８  Ｂ−ＤＡ変換部（ＭＡＣ  ＤＡ  ＳＷＡＰ）
９，９−１，９−２，９−３  ＢＥＢ
１０  ネットワーク（ＰＢＢ−ＴＥ網）
１００  ネットワーク
２００  ＰＢＮ
３００  ＰＢＢＮ
４００，４００−１，４００−２，４００−３  ＢＥＢ
５００，５００−１，５００−２，５００−３，５００−４，５００−５  ＢＣＢ
６００  ＰＢＢ−ＴＥ網
【図１】
2010258558.tif 000003
【図２】
2010258558.tif 000004
【図３】
2010258558.tif 000005
【図４】
2010258558.tif 000006
【図５】
2010258558.tif 000007
【図６】
2010258558.tif 000008
【図７】
2010258558.tif 000009
【図８】
2010258558.tif 000010
【図９】
2010258558.tif 000011
【図１０】
2010258558.tif 000012
【図１１】
2010258558.tif 000013
【図１２】
2010258558.tif 000014
【図１３】
2010258558.tif 000015
【図１４】
2010258558.tif 000016
【図１５】
2010258558.tif 000017
【図１６】
2010258558.tif 000018
【図１７】
2010258558.tif 000019
【図１８】
2010258558.tif 000020
【図１９】
2010258558.tif 000021
【図２０】
2010258558.tif 000022
【図２１】
2010258558.tif 000023
【図２２】
2010258558.tif 000024
【図２３】
2010258558.tif 000025
【図２４】
2010258558.tif 000026
【図２５】
2010258558.tif 000027
【図２６】
2010258558.tif 000028